(57)【特許請求の範囲】
【請求項１】
消弧性ガスで充填されたタンク内に、相対的に開離可能な一対の固定側アーク接触子と可動側アーク接触子からなる接触子と、前記可動側アーク接触子を先端に結合するパッファシリンダと固定ピストンで形成されたパッファ室と、前記可動側アーク接触子を包囲して前記パッファシリンダの先端に取付けられた絶縁カバーと、前記絶縁カバーを包囲して前記パッファシリンダの先端に取付けられた前記パッファ室からの消弧性ガスを前記接触子に導くための流路を形成する絶縁ノズルとが設けられ、前記接触子の開離動作に関連して前記パッファ室内の消弧性ガスを圧縮して前記接触子間に発生するアークに吹き付けるようにしたパッファ形ガス遮断器であって、
前記絶縁カバーはガス流路を有し、軸方向の両端を前記パッファシリンダの先端と前記絶縁ノズルの間に支持され、
前記絶縁カバーは、軸方向の一端が前記パッファシリンダに遊嵌され、他端が前記絶縁ノズルに遊嵌され、前記パッファシリンダと前記絶縁ノズルの間で回動自在に支持されることを特徴とするパッファ形ガス遮断器。
【発明の詳細な説明】
【技術分野】
【０００１】
本発明は、消弧性ガスとしてＳＦ６ガスが用いられている電力用のガス遮断器、特に、その消弧部分の絶縁ノズルと絶縁カバーの構成に関する。
【背景技術】
【０００２】
パッファ形ガス遮断器は、一般的に絶縁ノズルと絶縁カバーを備えている。絶縁カバーは筒状をなし、絶縁ノズルの内径側でアーク接触子間に発生するアークに消弧性ガスを効果的に吹き付けることを目的として設けられている。
【０００３】
特許文献１には、図６に示すとおり、絶縁ノズルの取付け固定部と、絶縁カバーの根元部から放射状に伸びた足部とを挟み込んでパッファシリンダに圧縮固定することで絶縁ノズル内の気密性を高め、遮断性能の向上を図ることを目的とするパッファ形ガス遮断器が開示されている。
【０００４】
しかし、この構成では、ボルト１１２をパッファシリンダ１０６に固定し、カバー１１０の凹部１１０ｃとボルト１１２を一致させることにより位置決めをしなければならない。このため、位置決め公差を考慮して製造しなければならないので作業性が悪いという問題があった。
【０００５】
また、絶縁ノズル１０９とパッファシリンダ１０６の接合部の気密を確保しつつ、カバー１１０の足部１１０ａを絶縁ノズル１０９とパッファシリンダ１０６の間に密着させてしっかり固定しなければならず作業に慎重を要するという問題点があった。
【先行技術文献】
【特許文献】
【０００６】
【特許文献１】特開平８−１１１１５１公報
【発明の概要】
【発明が解決しようとする課題】
【０００７】
そこで、本発明は上記の問題点に鑑み、取付け作業が容易な絶縁ノズル及び絶縁カバーを提供することを目的とする。
【課題を解決するための手段】
【０００８】
本発明によるパッファ形ガス遮断器は、消弧性ガスで充填されたタンク内に、相対的に開離可能な一対の固定側アーク接触子と可動側アーク接触子からなる接触子と、前記可動側アーク接触子を先端に結合する可動パッファシリンダと固定ピストンで形成されたパッファ室と、前記可動側アーク接触子を包囲して前記パッファシリンダの先端に取付けられた絶縁カバーと、前記絶縁カバーを包囲して前記パッファシリンダの先端に取付けられた前記パッファ室からの消弧性ガスを前記接触子に導くための流路を形成する絶縁ノズルとが設けられ、前記接触子の開離動作に関連して前記パッファ室内の消弧性ガスを圧縮して前記接触子間に発生するアークに吹き付けるようにしたうえで、前記絶縁カバーはガス流路を有し、軸方向の両端を前記パッファシリンダの先端と前記絶縁ノズルの間に支持されることを特徴としている。
【０００９】
好ましくは、前記カバーはその軸方向の一端がパッファシリンダに遊嵌され、他端が絶縁ノズルに遊嵌され、パッファシリンダと絶縁ノズルの間で回動自在に支持されることを特徴としている。
【発明の効果】
【００１０】
本発明にかかる絶縁カバーを絶縁ノズルとパッファシリンダの間に両持ち梁で支持する構成によれば、引例１に示すように絶縁ノズルとパッファシリンダの接合部に気密を確保しつつ絶縁カバーの端部を挟んで固定する必要がなくなる。このため、絶縁カバーの取付けが容易になり組立作業性が向上する。また、絶縁カバーを絶縁ノズルとパッファシリンダの間で回動自在となるように遊びを設けて支持する構成とすることで、位置決め公差、組立公差等を考慮する必要が低減し組立作業性が向上する。
【００１１】
さらに、絶縁カバーを回動自在に支持する構成とすることで消弧性ガスをあらゆる角度からアークに対して吹き付けることができるため、消弧性能を向上することができる。また、遮断動作時に絶縁カバーが回転することで、アークによる消耗が１ヶ所に集中しなくなるため、部品寿命の延長も可能である。
【図面の簡単な説明】
【００１２】
【図１】本発明の絶縁ノズルと絶縁カバーの構成を示す断面部である。
【図２】本発明の絶縁ノズルと絶縁カバーを用いて構成したパッファ形ガス遮断器の断面図である。
【図３】本発明の第１の実施例にかかる絶縁カバーの正面図及び側面断面図である。
【図４】本発明の第２の実施例にかかる絶縁カバーの正面図及び側面断面図である。
【図５】本発明の絶縁ノズルと絶縁カバーの組立断面図である。
【図６】従来例を示す図である。
【発明を実施するための形態】
【００１３】
以下、本発明にかかるパッファ形ガス遮断器の絶縁ノズル及び絶縁カバーの実施例を図面を用いて説明する。
【実施例１】
【００１４】
図２において、本発明の絶縁ノズルと絶縁カバーを用いて構成したパッファ形遮断器内部の概要を示す。絶縁ノズルと絶縁カバー以外の構成は従来のパッファ形ガス遮断器の構成と同様である。
【００１５】
容器１内にはＳＦ６ガス等の絶縁性ガスが封入され、固定側通電導体２及び可動側通電導体３が引き込まれる。固定側通電導体２は、固定側遮断部１１を構成する固定側アーク接触子７及び固定側主接触子４に電気的に接続されている。可動側通電導体３は、可動側遮断部１２を構成するパッファシリンダ６及び可動側主接触子５に電気的に接続されている。パッファシリンダ６の先端部には絶縁カバー１０及び絶縁ノズル９が設けられる。
【００１６】
図１は、図２のパッファシリンダ６の先端部の拡大図である。パッファシリンダ６の先端部中央には可動側アーク接触子８が設けられる。可動側アーク接触子８の外周にはそれを取巻くように絶縁カバー１０、絶縁ノズル９、及び可動側主接触子５がそれぞれ同心円状に配される。また、絶縁カバー１０は、その軸方向両端部を絶縁ノズル９とパッファシリンダ６の間に両持ち梁で支持される。
【００１７】
図３（Ａ）は絶縁カバー１０の正面図であり、図３（Ｂ）は絶縁カバー１０の側面断面図である。図３（Ａ）（Ｂ）に示すとおり、絶縁カバー１０は円筒状に構成される。図３（Ｂ）に示すとおり、絶縁カバー１０は、環状凸部１０ａと小径部１０ｂを有する。環状凸部１０ａは、絶縁ノズル９に設けられた環状の絶縁カバー嵌合部９ａと嵌合するためのものである。小径部１０ｂは、パッファシリンダ６の絶縁カバー支持部６ａと嵌合するためのものである。
【００１８】
図５は絶縁カバー１０をパッファシリンダ６と絶縁ノズル９の間に両持ち梁で支持する手順の一例を示している。まず、パッファシリンダ６の先端中央部及び外周部に可動側アーク接触子８及び可動側主接触子５を固着する。パッファシリンダ６と可動側主接触子５とは一体に成形したものであってもよい。
【００１９】
次に、図５（Ａ）（Ｂ）に示すように、絶縁カバーの環状凸部１０ａを絶縁ノズル９の絶縁カバー嵌合部９ａに嵌め合わせる。図５（Ｃ）に示す可動側主接触子５の内周面にはねじ切りが施されており（不図示）、絶縁ノズル９の外周部に設けられたねじ部（不図示）が螺合される。このとき、絶縁カバーの小径部１０ｂが絶縁カバー支持部６ａに嵌合することで、絶縁カバー１０が絶縁ノズル９とパッファシリンダ６の間に支持される。
【００２０】
以上のとおり、絶縁カバーの軸方向の両端を絶縁ノズルとパッファシリンダの間に両持ち梁で支持することによって、引例1に示すように絶縁ノズルとパッファシリンダの接合部に気密を確保しつつ絶縁カバーの端部を挟んで固定する必要がなくなる。このため、絶縁カバーの取付けが容易になり組立作業性が向上する。
【００２１】
また、環状凸部１０ａと絶縁カバー嵌合部９ａを遊嵌させ、小径部１０ｂと絶縁カバー支持部６ａを遊嵌させる構成とすることで、製造時に絶縁カバー１０と絶縁ノズル９、及び絶縁カバー１０とパッファシリンダ６を容易に嵌め合う構成とすることもできる。こうすることで、絶縁カバー１０を絶縁ノズル９とパッファシリンダ６の間に取付ける際に厳密な位置決めをする必要がなくなり、位置決め公差、組立公差等を考慮する必要が低減するため組立作業性が向上する。
【実施例２】
【００２２】
以下、本発明の第２の実施形態を図４に基づいて説明する。実施例２の絶縁カバー１０に設けられたガス流路１０ｃはその軸が絶縁カバー１０の軸心から同方向に一定距離ずれるように設けられる。絶縁カバー１０が絶縁ノズル９とパッファシリンダ６の間で回動自在となるよう、絶縁カバーの環状凸部１０ａを絶縁ノズルの絶縁カバー嵌合部９ａに遊嵌させ、絶縁カバーの小径部１０ｂをパッファシリンダの絶縁カバー支持部６ａと遊嵌させる。
【００２３】
この構成によって絶縁カバー１０に消弧性ガスが吹きつけられたときに旋回流が生じ、その反力で絶縁カバー１０が回転する。これにより、消弧性ガスがあらゆる角度からアークに対して吹き付けられるため消弧性能を向上することができる。また、遮断動作時に絶縁カバー１０が回転することで、アークによる消耗が１ヶ所に集中しなくなるため、部品寿命の延長も可能である。
【符号の説明】
【００２４】
１      容器
２      固定側通電導体
３      可動側通電導体
４      固定側主接触子
５      可動側主接触子
６      パッファシリンダ
６ａ    絶縁カバー支持部
７      固定側アーク接触子
８      可動側アーク接触子
９      絶縁ノズル
９ａ    絶縁カバー嵌合部
１０    絶縁カバー
１０ａ  環状凸部
１０ｂ  小径部
１０ｃ  ガス流路
１１    固定側遮断部
１２    可動側遮断部
【図１】
0005440485.tif 000002
【図２】
0005440485.tif 000003
【図３】
0005440485.tif 000004
【図４】
0005440485.tif 000005
【図５】
0005440485.tif 000006
【図６】
0005440485.tif 000007